(57)【要約】【課題】コンクリート基礎の主筋と干渉することなく、コンクリート基礎の厚み方向の中央位置に容易に埋設固定することができるアンカーボルトを提供すること。【解決手段】異形鉄筋２Ａを採用して構成したアンカー部２の上端部に螺子部３を設け、このアンカー部２を構成する異形鉄筋２Ａを、下端から上端部の螺子部３に向かって左右に二分割して二股形状のアンカー部２に形成し、この二分割された各分割アンカー部20は、間隔を置いて略平行に並設する形状に形成して、この二股形状のアンカー部２がコンクリート基礎１内の主筋４を跨ぐようにして配置し得るように構成すると共に、このアンカー部２の上部に位置する割け目の根元部分は、前記各分割アンカー部20を夫々が徐々に間隔を広げながら並設する傾斜形状に形成する。【選択図】図２
2008156813.tif 000002
【特許請求の範囲】
【請求項１】
コンクリート基礎に埋設固定されるアンカー部の上端部に、コンクリート基礎上より突出状態で配置される螺子部を設けたアンカーボルトにおいて、少なくとも前記アンカー部は異形鉄筋を採用した構成とし、このアンカー部を構成する異形鉄筋を、下端から上端部の前記螺子部に向かって左右に二分割することで二股形状のアンカー部に形成し、この二分割された各分割アンカー部は、前記コンクリート基礎内に横設する主筋の直径幅より幅広な間隔を置いて略平行に並設する形状に形成して、この二股形状のアンカー部がコンクリート基礎内の主筋を跨ぐようにして配置し得るように構成すると共に、このアンカー部の上部に位置する割け目の根元部分は、前記各分割アンカー部を夫々が徐々に間隔を広げながら並設する傾斜形状に形成して、この各傾斜アンカー部分の対向内側部が割け目の根元部分の略中央に前記主筋を案内する案内部となるように構成したことを特徴とするアンカーボルト。
【請求項２】
前記各傾斜アンカー部分の対向内側部を、この傾斜アンカー部分の傾斜方向に沿って傾斜する傾斜面に形成して、この各傾斜アンカー部分の対向傾斜面が夫々前記コンクリート基礎内に横設する主筋に面接当接し得る構成としたことを特徴とする請求項１記載のアンカーボルト。
【請求項３】
上端部に前記螺子部を成形若しくは付設した異形鉄筋を、下端から上端部の前記螺子部に向かって二股形状に切断すると共に、この二股切断部分を、上部に位置する切断根元部分が徐々に間隔を広げながら並設する傾斜形状であって且つこの切断根元部分より下部が略平行に並設する形状に屈曲形成することで前記二股形状のアンカー部に構成して成ることを特徴とする請求項１，２のいずれか１項に記載のアンカーボルト。
【請求項４】
前記螺子部は、前記アンカー部の先端に着脱自在に設けて、長さ寸法や螺子の形成位置が異なる数種の螺子部を付け替えし得る構成としたことを特徴とする請求項１〜３のいずれか１項に記載のアンカーボルト。
【請求項５】
前記各傾斜アンカー部分を、夫々前記螺子部の周方向にねじるように変形せしめたことを特徴とする請求項１〜４のいずれか１項に記載のアンカーボルト。
【発明の詳細な説明】
【技術分野】
【０００１】
本発明は、コンクリート基礎に設けるアンカーボルトに関するものである。
【背景技術】
【０００２】
従来のアンカーボルトとしては、例えば、ボルトの下端部をＪ字状やＬ字状に屈曲形成してコンクリート基礎に対する引き抜き抵抗を高めているものが一般的である（例えば、特許文献１参照。）。
【０００３】
【特許文献１】特開２００３−５６０６２号公報
【発明の開示】
【発明が解決しようとする課題】
【０００４】
アンカーボルトは、コンクリート基礎の厚み方向（コンクリート基礎の内外方向）の中央位置に配置することが、例えばこのアンカーボルトと接合する土台やホールダウン金物等との接合強度が十分に発揮されることになるために望ましい。
【０００５】
しかし、コンクリート基礎内には鉄筋が埋設されており、しかも、設計上最も効果的な強度を発揮するように、主筋がコンクリート基礎の厚み方向の中央線に沿ってあるいはこの中央線に接するようにして埋設されているものが非常に多いため、アンカーボルトをコンクリート基礎の厚み方向の中央位置に配置しようとすると、主筋と干渉してしまってアンカーボルトの位置をずらさなければならない場合が多いという現状であった。
【０００６】
本発明は、このような現状に鑑み、これを解決しようとするためのもので、コンクリート基礎の主筋と干渉することなく、コンクリート基礎の厚み方向の中央位置に埋設固定することができる上、施工作業が非常に容易に行われる画期的なアンカーボルトを提供するものである。
【課題を解決するための手段】
【０００７】
添付図面を参照して本発明の要旨を説明する。
【０００８】
コンクリート基礎１に埋設固定されるアンカー部２の上端部に、コンクリート基礎１上より突出状態で配置される螺子部３を設けたアンカーボルトＡにおいて、少なくとも前記アンカー部２は異形鉄筋２Ａを採用した構成とし、このアンカー部２を構成する異形鉄筋２Ａを、下端から上端部の前記螺子部３に向かって左右に二分割することで二股形状のアンカー部２に形成し、この二分割された各分割アンカー部20は、前記コンクリート基礎１内に横設する主筋４の直径幅より幅広な間隔を置いて略平行に並設する形状に形成して、この二股形状のアンカー部２がコンクリート基礎１内の主筋４を跨ぐようにして配置し得るように構成すると共に、このアンカー部２の上部に位置する割け目の根元部分は、前記各分割アンカー部20を夫々が徐々に間隔を広げながら並設する傾斜形状に形成して、この各傾斜アンカー部分21の対向内側部が割け目の根元部分の略中央に前記主筋４を案内する案内部５となるように構成したことを特徴とするアンカーボルトに係るものである。
【０００９】
また、前記各傾斜アンカー部分21の対向内側部を、この傾斜アンカー部分21の傾斜方向に沿って傾斜する傾斜面210に形成して、この各傾斜アンカー部分21の対向傾斜面210が夫々前記コンクリート基礎１内に横設する主筋４に面接当接し得る構成としたことを特徴とする請求項１記載のアンカーボルトに係るものである。
【００１０】
また、上端部に前記螺子部３を成形若しくは付設した異形鉄筋２Ａを、下端から上端部の前記螺子部３に向かって二股形状に切断すると共に、この二股切断部分20を、上部に位置する切断根元部分が徐々に間隔を広げながら並設する傾斜形状であって且つこの切断根元部分より下部が略平行に並設する形状に屈曲形成することで前記二股形状のアンカー部２に構成して成ることを特徴とする請求項１，２のいずれか１項に記載のアンカーボルトに係るものである。
【００１１】
また、前記螺子部３は、前記アンカー部２の先端に着脱自在に設けて、長さ寸法や螺子の形成位置が異なる数種の螺子部３を付け替えし得る構成としたことを特徴とする請求項１〜３のいずれか１項に記載のアンカーボルトに係るものである。
【００１２】
また、前記各傾斜アンカー部分21を、夫々前記螺子部３の周方向にねじるように変形せしめたことを特徴とする請求項１〜４のいずれか１項に記載のアンカーボルトに係るものである。
【発明の効果】
【００１３】
本発明は上述のように構成したから、アンカー部をコンクリート基礎の主筋を跨ぐようにして配置できるので、アンカー部が主筋に干渉することなく、構造上最も良好な接合強度を発揮できるコンクリート基礎の厚み方向の中央位置にアンカーボルトを配置することができ、しかも、単に主筋にアンカー部を上方から跨らせて載置するだけでアンカーボルトは高さが維持されると共に、主筋がコンクリート基礎の厚み方向の中央位置に内装されている場合には、案内部により簡単にアンカーボルトがコンクリート基礎の厚み方向の中央位置に配置することになるので、このアンカーボルトの位置決め作業も容易に行われることになり、その上、コンクリートの付着性に秀れた異形鉄筋（アンカー部）を二分割したことで、コンクリートに接する面積が増してよりコンクリートの付着性が高くなり、これにより引き抜き力に対する抵抗強度が非常に高く、前記したように、構造上最も良好な接合強度を発揮できる位置に配置できることもあって高強度の建築物を施工可能となると共に、既存のアンカーボルトよりアンカー部の長さを短くしても同等のコンクリートへの付着性を確保できる構造であるので、部品コスト安な製品を実現可能であるなど、極めて実用性に秀れた画期的なアンカーボルトとなる。
【００１４】
また、請求項２記載の発明においては、アンカーボルトの位置決め作業が一層容易に且つ精度良く行われることになる一層実用性に秀れた構成のアンカーボルトとなる。
【００１５】
また、請求項３記載の発明においては、前記効果を確実に発揮する本発明のアンカーボルトを簡易に設計実現可能となる一層実用性に秀れた構成のアンカーボルトとなる。
【００１６】
また、請求項４記載の発明においては、長さ寸法や螺子の形成位置が異なる数種の螺子部を付け替えて、色々な土台との接続構造や、色々な被接続物との接続に対応できることとなる非常に汎用性に秀れた構成のアンカーボルトとなる。
【００１７】
また、請求項５記載の発明においては、たとえ、各分割アンカー部間の並設間隔を広くして主筋を跨がせての差込み操作を行い易い構成とした場合であっても、施工後に各分割アンカー部が錆びにくい施工状態とすることができる実用性に秀れたアンカーボルトとなる。
【発明を実施するための最良の形態】
【００１８】
好適と考える本発明の実施形態（発明をどのように実施するか）を、図面に基づいて本発明の作用を示して簡単に説明する。
【００１９】
基礎形成位置にコンクリート基礎１を打設するための型枠を設置すると共に鉄筋を配筋し、例えば、型枠内にコンクリートを打設した後、このコンクリート内にアンカーボルトＡのアンカー部２を埋没させ、アンカーボルトＡ上端部の螺子部３がコンクリート基礎１上より突出状態となるようにコンクリートを硬化させて固定する。
【００２０】
この際、たとえコンクリート基礎１内のその厚み方向の中央位置に主筋４が配筋されていたとしても、二股形状のアンカー部２はこの主筋４を跨ぐようにして配置することが可能であるので、アンカー部２が主筋４に干渉せず、よって、本発明によれば、コンクリート基礎１の厚み方向の中央位置、即ち、構造上最も良好な接合強度を発揮できる位置にアンカーボルトＡを配置することができる。
【００２１】
しかも、本発明のアンカーボルトＡは、アンカー部２の上部に位置する割け目の根元部分の各分割アンカー部20を、夫々が徐々に間隔を広げながら並設する傾斜形状の案内部５としているため、単にコンクリート基礎１を打設するための型枠の上方から二股形状のアンカー部２を主筋４に跨がらせて差し込むように配置するだけで、アンカー部２が深く差し込まれるにつれて案内部５が主筋４に接することにより、この案内部５の略中央に主筋４が案内されていくことになる。即ち、アンカーボルトＡが主筋４と同一鉛直線上に位置することとなるように案内是正されていき、最終的にアンカー部２の割け目の根元部分が主筋４に載置すると自動的にアンカーボルトＡが主筋４と同一鉛直線上に配置することになる。
【００２２】
従って、主筋４がコンクリート基礎１の厚み方向の中央位置に埋設されている場合には、この主筋４に二股形状のアンカー部２を跨らせて配置するだけで簡単にアンカーボルトＡをコンクリート基礎１の厚み方向の中央位置に配置できることとなるので、このアンカーボルトＡの位置決め作業も極めて容易に行われる。
【００２３】
また、従来は、基礎配筋にアンカーボルトを番線にて仮止めしてからコンクリートを打設して位置決めするか、あるいはコンクリート打設の際に吊り下げ治具によってアンカーボルトＡを吊り下げつつコンクリートを硬化させて位置決めするようにしていたが、本発明のアンカーボルトＡは、単に主筋４にアンカー部２を上方から跨らせて載置するだけで高さが維持されるし、前記したようにコンクリート基礎１厚み方向の位置決めも自動的になされるので、このアンカーボルトＡの設置作業が極めて容易に行われることになる。
【００２４】
また、異形鉄筋２Ａを採用したアンカー部２は、表面に凹凸があることから単なる丸棒に比してコンクリートの付着性が高く、これにより引き抜き力に対する抵抗強度が非常に高いため、前記したように本発明のアンカーボルトＡが構造上最も良好な接合強度を発揮する位置に配置できることと相まって高強度の建築物を施工可能となる。
【００２５】
更に、アンカー部２を左右に二分割したことで、単なる一本の棒状のアンカー部に比してコンクリートに接する面積が増すため、コンクリートの付着性が高くなり、そのため、既存のアンカーボルトのアンカー部より長さを短くしても同等のコンクリートへの付着性を確保できるので、部品コスト安で安価な製品を構成することも可能となる。
【００２６】
尚、型枠内にコンクリートを打設する前に上方からアンカーボルトＡを差込みして、二股形状のアンカー部２を主筋４に跨らせて載置した後、型枠内にコンクリートを打設し硬化させて固定するようにしても良い。
【００２７】
また、例えば、前記各傾斜アンカー部分21の対向内側部を、この傾斜アンカー部分21の傾斜方向に沿って傾斜する傾斜面210に形成して、この各傾斜アンカー部分21の対向傾斜面210が夫々前記コンクリート基礎１内に横設する主筋４に面接当接し得る構成とすれば、対向傾斜面210が主筋４に面接当接することで本発明のアンカーボルトＡは、主筋４に対して一層安定的に載置することになるので、このアンカーボルトＡの位置決め作業が一層容易に且つ精度良く行われることになり、しかも、この構成は、例えば後述する実施例のように、アンカー部２を構成する異形鉄筋２Ａを、その略直径位置で左右に二分割形成して切断面を平坦面とした上で、アンカー部２の上部に位置する割け目の根元部分の各分割アンカー部20を、夫々が徐々に間隔を広げながら並設する傾斜形状に折曲形成することで容易に傾斜面210を形成できる構成であるなど、実現化が容易である。
【００２８】
また、例えば、上端部に前記螺子部３を成形若しくは付設した異形鉄筋２Ａを、下端から上端部の前記螺子部３に向かって二股形状に切断すると共に、この二股切断部分20を、上部に位置する切断根元部分が徐々に間隔を広げながら並設する傾斜形状であって且つこの切断根元部分より下部が略平行に並設する形状に屈曲形成することで前記アンカー部２に構成して成ることとすれば、例えば、一本の異形鉄筋２Ａに簡単な加工を施すことで、本発明のアンカーボルトＡを簡易に設計実現可能となる。
【００２９】
また、例えば、前記螺子部３は、前記アンカー部２の先端に着脱自在に設けて、長さ寸法や螺子の形成位置が異なる数種の螺子部３を付け替えし得る構成とすれば、色々な土台７との接続構造や、色々な被接続物への接続に対応できることになり、非常に汎用性に秀れることとなる。
【００３０】
また、二股形状のアンカー部２は、各分割アンカー部20の並設間隔を広く設定する方が、主筋４に跨がらせて差込み操作し易くなるため好ましいが、反面、各分割アンカー部20の並設間隔を広く設定すればする程、各分割アンカー部20はコンクリート基礎１の外側面に近づいた位置に埋設配置されることになるため、コンクリート基礎１の外面から浸透する水分の影響を受け易く、錆び易くなってしまう。
【００３１】
しかし、例えば、前記各傾斜アンカー部分21を、夫々前記螺子部３の周方向にねじるように変形せしめれば、たとえ各分割アンカー部20間の並設間隔を広く設定したとしても、アンカー部２の割け目の根元部分の傾斜ねじり変形部分（傾斜ねじりアンカー部分21Ａ）が主筋４に接することによって、深く差し込まれるに従い各分割アンカー部20の並設方向が主筋４に対して傾斜する並設方向となるように案内是正されていくことになり、これにより、各分割アンカー部20がコンクリート基礎１の外側面から離れた内側に位置することになる（図８参照。）。即ち、このように構成することにより、各分割アンカー部20間の並設間隔を広くして主筋４を跨がせての差込み操作を行い易い構成としながらも、各分割アンカー部20が錆びにくい施工状態とすることができるアンカーボルトＡが実現することになる。
【実施例１】
【００３２】
本発明の具体的な実施例１について図１〜図４に基づいて説明する。
【００３３】
本実施例のアンカーボルトＡは、アンカー部２の上端部に螺子部３を設けている。
【００３４】
具体的には、図１に示すように、アンカーボルトＡの構成材として異形鉄筋２Ａを採用した構成とし、この異形鉄筋２Ａの一端部（上端部）の周面に螺子を刻設して前記螺子部３に成形している。
【００３５】
また、この螺子部３より下側の異形鉄筋２Ａ部位を前記アンカー部２としている。
【００３６】
本実施例のアンカー部２は、このアンカー部２を構成する異形鉄筋２Ａを、下端から上端部の前記螺子部３に向かって左右に二分割することで二股形状のアンカー部２に形成している。
【００３７】
具体的には、このアンカー部２を構成する異形鉄筋２Ａを、その略直径位置で左右に二分割形成することで略二等分された二股形状に形成し、これにより二股に分割された各分割アンカー部20は、断面半円形を呈していて夫々の対向内側部（切断面）が略平坦面となる形状に形成している。
【００３８】
また、図４に示すように、このアンカー部２の上部に位置する割け目の根元部分の前記各分割アンカー部20を、夫々外側に開くように屈曲すると共に、この各分割アンカー部20の夫々が徐々に間隔を広げながら並設する傾斜形状に屈曲形成して、この各傾斜アンカー部分21の対向内側部が割け目の根元部分の略中央に前記主筋４を案内する案内部５となるように構成している。
【００３９】
また、この割け目の根元部分の各傾斜アンカー部分21の対向間隔が所定の広幅となった位置で各分割アンカー部20を屈曲形成して、この各傾斜アンカー部分21より下側の各分割アンカー部20が夫々垂下する形状に形成している。
【００４０】
更に詳しくは、割け目の根元部分より下側の各分割アンカー部20は、図３，図４に示すように、コンクリート基礎１内に横設する主筋４の直径幅よりやや幅広な間隔を置いて略平行に並設すると共に、各分割アンカー部20の対向内側の平坦面（切断面）が略平行に並設する形状に形成して、この二股形状のアンカー部２は、コンクリート基礎１内の主筋４を跨がせて上方から下方へ差込むようにして配置し、アンカー部２の割け目の根元部分を主筋４に載置し得るように構成している。
【００４１】
そして、この際、前記各傾斜アンカー部分21の対向内側部である傾斜面210が夫々前記コンクリート基礎１内に横設する主筋４に面接当接しながら、根元部分の略中央に前記主筋４を案内するように前記案内部５を構成している。
【００４２】
即ち、単にコンクリート基礎１を打設するための型枠の上方から二股形状のアンカー部２を主筋４に跨がらせて差し込むようにして配置するだけで、アンカー部２が深く差し込まれるに従い案内部５によりアンカーボルトＡの螺子部３の位置が主筋４を通る鉛直線に近づくように案内是正されて、図４に示すように最終的にアンカー部２の割け目の根元部分が主筋４に載置すると自動的にアンカーボルトＡの螺子部３が主筋４と同一鉛直線上に配置することになる。
【００４３】
従って、主筋４がコンクリート基礎１の厚み方向の中央位置に埋設されている場合には、この主筋４に二股形状のアンカー部２を跨らせて配置するだけで、簡単にアンカーボルトＡをコンクリート基礎１の厚み方向の中央位置に配置することができるので、このアンカーボルトＡの位置決め作業が極めて容易に行われる。
【００４４】
また、この際、このアンカー部２の割け目の根元部分の対向内側の平坦面（傾斜面210）が前記コンクリート基礎１内に横設する主筋４に載置当接するため、この傾斜面210が主筋４に載置当接した状態では、アンカーボルトＡが主筋４の長さ方向に倒れにくい構成としている。
【００４５】
また、本実施例では、前記アンカー部２の各分割アンカー部20の長さ寸法を、前記コンクリート基礎１内で上下方向に間隔を置いた並設状態で横設する上側の主筋４と下側の主筋４との並設間隔幅より長く設定して、図２に示すように、この上側の主筋４と下側の主筋４の双方に二股形状のアンカー部２を跨らせて配置し得るように構成している。
【００４６】
従って、上側の主筋４と下側の主筋４の双方に二股形状のアンカー部２を跨らせて配置できるため、傾斜面210が主筋４に載置当接した状態でアンカーボルトＡが主筋４の長さ方向と直交する方向に倒れない構成としている。そのため、このアンカーボルトＡ施工時にアンカーボルトＡをコンクリートが硬化するまで吊り下げ治具などを用いて倒れないように位置決めしておく必要がなく、この施工作業を簡略化できることになるので作業性に秀れる。
【００４７】
以上のように、本実施例は、上端部に前記螺子部３を成形した異形鉄筋２Ａを、下端から上端部の前記螺子部３に向かって二股形状に切断すると共に、この二股切断部分20を、上部に位置する切断根元部分が徐々に間隔を広げながら並設する傾斜形状であって且つこの切断根元部分より下部が略平行に並設する形状に屈曲形成することで前記アンカー部２に構成して成るとしている。
【００４８】
従って、このような構成の本実施例は、単に一本の異形鉄筋２Ａに簡単な加工を施すことで構成可能であり、量産性に秀れ安価な製品を提供可能となる。
【実施例２】
【００４９】
本発明の具体的な実施例２について図５，図６に基づいて説明する。
【００５０】
本実施例は、前記実施例１において、前記螺子部３を、前記アンカー部２の先端に着脱自在に設けた場合である。
【００５１】
具体的には、本実施例では、図５の（ａ）に示すように、アンカー部２を構成する異形鉄筋２Ａの一端部（上端部）を凹設すると共に、この凹設部内に螺子を刻設して螺子穴６に構成し、この螺子穴６に螺子部３を着脱自在に螺着する構成としている。尚、筒内周面に螺子を刻設して成る螺子筒を、異形鉄筋２Ａの一端部に付設する構成としても良い。
【００５２】
また、本実施例の螺子部３は、金属製の棒体の両端部に螺子を刻設した構成とし、この螺子部３のいずれか一端部を前記螺子穴６に螺着することで、異形鉄筋２Ａ（アンカー部２）の上端部に螺子部３が設けられる（取り付けられる）構成としている。
【００５３】
また、この着脱自在な螺子部３は、長さ寸法や螺子の形成位置が異なる数種類を用意しており、この数種類の螺子部３を用途に応じて付け替えて使用できる構成としている。
【００５４】
例えば、図５では、ホールダウン金具９との接合のために長さのある螺子部３を使用した場合を示している。即ち、図５の（ｂ）に示すように、長さのある螺子部３がコンクリート基礎１上の土台７を貫通して上方に突出し、この螺子部３の上端部を土台７上に立設する柱８に固定されたホールダウン金物９にナット10によって接合している。
【００５５】
また、図６では、上面に座繰り加工部７Ａが形成された土台７を固定するために、長さのない螺子部３を使用した場合を示している。
【００５６】
その他の構成は前記実施例１と同様である。
【実施例３】
【００５７】
本発明の具体的な実施例３について図７，図８に基づいて説明する。
【００５８】
本実施例は、前記実施例１において、前記アンカー部２の割け目の根元部分の前記各分割アンカー部20を、夫々前記螺子部３の周方向にねじるように変形させた場合である。
【００５９】
また、本実施例では、割け目の根元部分より下側に存する各分割アンカー部20の平行並設間隔を前記実施例１の各分割アンカー部20の並設間隔よりも広くなるように屈曲形成して、この並設間隔を広くしたことで各分割アンカー部20を前記主筋４に跨がらせることが容易にできて、差込み操作が行い易くなるようにしている。
【００６０】
しかしながら、このように各分割アンカー部20の平行並設間隔を広く設定構成すると、各分割アンカー部20はコンクリート基礎１の外側面に近づいた位置に埋設配置されることになるため、コンクリート基礎１の外面から浸透する水分の影響を受け易く、錆び易くなってしまうという問題が生じる。
【００６１】
本実施例では、このような、主筋４への差込み操作し易さの向上を目的に、各分割アンカー部20の平行並設間隔を広く設定構成した場合の問題点を解消するために、前記したように前記アンカー部２の割け目の根元部分の前記各分割アンカー部20を、夫々前記螺子部３の周方向にねじるように変形させている。
【００６２】
具体的には、図７に示すように、割け目の根元部分の各分割アンカー部20を、先ずは一旦互いに相反する外側方向へ下降傾斜状に屈曲させ、更にこの各屈曲部を前記螺子部３の周方向へ、互いに同一方向へ向けてひねるように屈曲変形させて傾斜ねじりアンカー部分21Ａを形成し、この傾斜ねじりアンカー部分21Ａより下方の各分割アンカー部20を垂下するように屈曲させると共に、互いの内側平坦面（切断面）が間隔を置いて略平行に並設する形状に形成している。
【００６３】
即ち、本実施例では、傾斜ねじりアンカー部分21Ａの対向内側の変形（面）部が前記案内部５となる構成としている。
【００６４】
そして、このようにアンカー部２の割け目の根元部分の各分割アンカー部20を、夫々螺子部３の周方向にねじるように変形させた本実施例によれば、各分割アンカー部20間の並設間隔を広く設定したため、例えば、図８の（ａ）に示すように、この各分割アンカー部20の並設方向が主筋４の並設方向と直交状態となるように近づけてアンカーボルトＡを差込みすることで、二股形状のアンカー部２を容易に主筋４に対して跨らせることができる上、アンカー部２の割け目の根元部分の傾斜ねじりアンカー部分21Ａの内側変形部分（案内部５）が主筋４に接することによって深く差し込まれるに従い、図８の（ｂ）の図中矢印のように各分割アンカー部20の並設方向が主筋４に対して傾斜する並設方向となるように回転案内是正されていくことになり、これにより、各分割アンカー部20がコンクリート基礎１の外側面から離れた内側に位置することになる。
【００６５】
即ち、本実施例によれば、各分割アンカー部20間の並設間隔を広くして主筋４を跨がせての差込み操作を行い易い構成でありながらも、施工後に各分割アンカー部20が錆びにくい状態で埋設固定されるアンカーボルトＡを実現できた。
【００６６】
その他の構成は、前記実施例１と同様である。
【００６７】
尚、本発明は、実施例１〜３に限られるものではなく、各構成要件の具体的構成は適宜設計し得るものである。
【図面の簡単な説明】
【００６８】
【図１】実施例１を示す斜視図である。
【図２】実施例１の使用状態を示すコンクリート基礎を切欠した説明斜視図である。
【図３】実施例１のコンクリート基礎の上方から主筋に向けてアンカー部を差込みしようとする状態を示す部分拡大説明図である。
【図４】実施例１の使用状態における部分拡大説明図である。
【図５】実施例２の螺子部の交換構造を示す説明図、並びに実施例２の使用状態における、螺子部にホールダウン金物を接合した状態を示す説明図である。
【図６】実施例２の使用状態における、螺子部に土台を接合した状態を示す説明図である。
【図７】実施例３を示す説明斜視図である。
【図８】実施例３の差込み操作時の作動を示す説明図である。
【符号の説明】
【００６９】
１  コンクリート基礎
２  アンカー部
２Ａ  異形鉄筋
３  螺子部
４  主筋
５  案内部
20  分割アンカー部（二股切断部分）
21  傾斜アンカー部分
210  傾斜面
Ａ  アンカーボルト
【図１】
2008156813.tif 000003
【図２】
2008156813.tif 000004
【図３】
2008156813.tif 000005
【図４】
2008156813.tif 000006
【図５】
2008156813.tif 000007
【図６】
2008156813.tif 000008
【図７】
2008156813.tif 000009
【図８】
2008156813.tif 000010
【手続補正書】
【提出日】平成19年12月13日(2007.12.13)
【手続補正１】
【補正対象書類名】明細書
【補正対象項目名】００４５
【補正方法】変更
【補正の内容】
【００４５】
また、本実施例では、前記アンカー部２の各分割アンカー部20の長さ寸法を、前記コンクリート基礎１内で上下方向に間隔を置いた並設状態で横設する上側の主筋４と下側の腹筋14との並設間隔幅より長く設定して、図２に示すように、この上側の主筋４と下側の腹筋14の双方に二股形状のアンカー部２を跨らせて配置し得るように構成している。
【手続補正２】
【補正対象書類名】図面
【補正対象項目名】図２
【補正方法】変更
【補正の内容】
【図２】
2008156813.tif 000011
【手続補正３】
【補正対象書類名】図面
【補正対象項目名】図７
【補正方法】変更
【補正の内容】
【図７】
2008156813.tif 000012